(57)【要約】【課題】手間や時間を要することなく、バッテリーのコネクタを簡単に接続・非接続する。【解決手段】バッテリー１００を前後方向にスライドするレール８と、各バッテリー前面１００ａにあるバッテリー側充電用コネクタ１０２，１０３に対して接続可能なラック側充電用コネクタ２，３と、ラック側充電用コネクタ２，３の接続面をバッテリー１００側へ付勢する付勢手段２０，３０と、レール８上のバッテリー１００の位置を固定・解除するロック手段７とを備えており、バッテリー１００が、レール８に沿って前方へスライドして、バッテリー側充電用コネクタ１０２，１０３が、ラック側充電用コネクタ２，３に対して、付勢手段２０，３０の付勢力に対抗する状態で接続し、その状態で、ロック手段７が、バッテリー１００の位置を固定するように構成されている。【選択図】図１
2008278625.tif 000002
【特許請求の範囲】
【請求項１】
複数の車両用バッテリーを充電するためのバッテリー充電用ラックであって、前記各バッテリーを前後方向にスライドするレールと、前記各バッテリー前面にあるバッテリー側充電用コネクタに対して接続可能なラック側充電用コネクタと、前記ラック側充電用コネクタの接続面を前記バッテリー側へ付勢する付勢手段と、前記レール上の前記バッテリーの位置を固定・解除するロック手段とを備えており、
前記バッテリーが、前記レールに沿って前方へスライドして、前記バッテリー側充電用コネクタが、前記ラック側充電用コネクタに対して、前記付勢手段の付勢力に対抗する状態で接続し、その状態で、前記ロック手段が、前記バッテリーの位置を固定するように構成されていることを特徴とするバッテリー充電用ラック。
【請求項２】
前記バッテリー前面へ向けて延設するガイドバーを備えており、前記ガイドバーに適合して挿入可能なガイド孔を備えたバッテリーが、前記レールに沿って前方へスライドして、前記ガイド孔が、前記ガイドバーに挿入して、前記バッテリーの左右方向の位置ズレを規制するように構成されていることを特徴とする請求項１に記載のバッテリー充電用ラック。
【請求項３】
前記ガイドバーは、上下方向に複数本備えられており、最下段の前記ガイドバーが他の前記ガイドバーよりも長尺であって、先端が尖鋭であることを特徴とする請求項１又は２に記載のバッテリー充電用ラック。
【発明の詳細な説明】
【技術分野】
【０００１】
本発明は、ターレット車やフォークリフト等のバッテリーを充電するために用いるバッテリー充電用ラックに関するものである。
【背景技術】
【０００２】
ターレット車やフォークリフト等の車両は、動力源としてバッテリーを搭載している。バッテリーの残量が少なくなると、使用済みのバッテリーを車両から取り外して、充電設備のある場所まで搬送される。使用済みのバッテリーは、ラック等の所定場所に格納される（例えば特許文献１参照）。そして、ラックに格納されたバッテリーは、充電器によって充電され、充電が完了すると新しいバッテリーとして再利用される。
【０００３】
このラックは、特にバッテリーを充電するのに適した構造となっていない。そのため、バッテリーを充電する際に、複数のバッテリー側充電コネクタに対して、充電器からの複数のプラグをそれぞれ差し込んで接続しなければならず、非常に手間や時間を必要としている。
【特許文献１】特開２００２−１２８４９２号公報、ラック２００、図１等
【発明の開示】
【発明が解決しようとする課題】
【０００４】
そこで、本発明が解決しようとする課題は、手間や時間を要することなく、バッテリーのコネクタを簡単に接続・非接続することが可能なバッテリー充電用ラックを提供することである。
【課題を解決するための手段】
【０００５】
複数の車両用バッテリーを充電するためのバッテリー充電用ラックであって、各バッテリーを前後方向にスライドするレールと、各バッテリー前面にあるバッテリー側充電用コネクタに対して接続可能なラック側充電用コネクタと、ラック側充電用コネクタの接続面をバッテリー側へ付勢する付勢手段と、レール上のバッテリーの位置を固定・解除するロック手段とを備えており、バッテリーが、レールに沿って前方へスライドして、バッテリー側充電用コネクタが、ラック側充電用コネクタに対して、付勢手段の付勢力に対抗する状態で接続し、その状態で、ロック手段が、バッテリーの位置を固定するように構成されている。
【０００６】
好ましくは、バッテリー前面へ向けて延設するガイドバーを備えており、ガイドバーに適合して挿入可能なガイド孔を備えたバッテリーが、レールに沿って前方へスライドして、ガイド孔が、ガイドバーに挿入して、バッテリーの左右方向の位置ズレを規制するように構成されている。
【０００７】
更に好ましくは、ガイドバーは、上下方向に複数本備えられており、最下段のガイドバーが他のガイドバーよりも長尺であって、先端が尖鋭である。
【発明の効果】
【０００８】
本発明に係るバッテリー充電用ラックは、前記のとおり、バッテリーを、レールに沿って前方へスライドして、バッテリー側充電用コネクタを、ラック側充電用コネクタに対して、付勢手段の付勢力に対抗する状態で接続し、その状態で、ロック手段で、バッテリーの位置を固定できるようになっている。
【０００９】
これにより、従来のように、それぞれのコネクタを１つずつ接続する手間がなく、バッテリーをレールに沿ってスライドして、ロック手段で位置固定するだけで、それぞれのコネクタを接続することができる。さらに、付勢手段の付勢力によって、バッテリー側充電用コネクタとラック側充電用コネクタとを所定の押圧力で確実に接続できる。また、ロック手段を解除するだけで、各コネクタを非接続の状態にできる。従って、バッテリーのコネクタを簡単且つ短時間に、接続・非接続することができる。
【発明を実施するための最良の形態】
【００１０】
以下、図面に基づき、本発明に係るバッテリー充電用ラックについて詳細に説明する。
【００１１】
図１は、バッテリー充電用ラックを示し、図２のＩ−Ｉ線断面側面図である。図２は、図１のＩＩ−ＩＩ線断面正面図である。図３は、バッテリー充電用ラックの一部を拡大して示す斜視図である。図４は、バッテリーを示す斜視図である。
【００１２】
図１及び図２に示すように、バッテリー充電用ラックは、複数の柱部材１０及び梁部材１１を備えている。柱部材１０及び梁部材１１は組合わされて連結され、これにより、バッテリー充電用ラックの外枠を構成する。バッテリー充電用ラックは、本実施形態では４つの棚部１，１，・・・を備えており、それぞれの棚部１毎にバッテリー１００を格納できるようになっている。バッテリー１００は、ターレット車やフォークリフト等の車両に対する動力源として使用されるものである。
【００１３】
図２に示すように、バッテリー充電用ラックは、前端部（図１の右端部）に左右方向へ延設された上下二段の支持プレート１２，１２を備えている。支持プレート１２は、両端が柱部材１０，１０で保持されている。支持プレート１２は、後述するラック側充電用コネクタ２，３等を支持する。バッテリー充電用ラックは、後方（図１の左方）からバッテリー１００を挿入して、各棚部１に格納できるようになっている。
【００１４】
各棚部１は、前後方向（図１の左右方向）に延設された一対のＬ型レール８，８を備えている。各Ｌ型レール８，８は、左右方向（図２の左右方向）に平行に配列されている。各Ｌ型レール８，８は、図２及び図３に示す通り、互いに対向している。そして、各Ｌ型レールは、垂直部８ａ，８ａが左右両側に配置されている。
【００１５】
バッテリー１００は、一対のＬ型レール８，８に沿って前後方向にスライドするようになっている。即ち、バッテリー１００は、両側が各Ｌ型レールの垂直部８ａ，８ａに挟まれて左右方向の移動を規制されながら、水平部８ｂ，８ｂに載置した状態でスライド移動するようになっている。
【００１６】
棚部１は、支持プレート１２に固定されたベース１３を備えている。ベース１３は、Ｌ型レール８，８の前方部（図１の右方）に設けられている。図２に示す通り、各支持プレート１２，１２毎に、左右一対のベース１３が設けられている。ベース１３には、一対のラック側充電用コネクタ２，３、上側ガイドバー４、下側ガイドバー５及び温度検出端子６が、上下方向に配置されている。それぞれ２，３，４，５，６は、水平方向へ延設されており、バッテリー充電用ラックの後方（図１の左方）へ向けて延びている。
【００１７】
ラック側充電用コネクタ２，３は、充電器（図示略）に接続されており、充電器を介してバッテリー１００を充電できるようになっている。図３に示すように、ラック側充電用コネクタ２，３は、圧縮バネ２０，３０が嵌装されている。この圧縮バネ２０，３０によって、ラック側充電用コネクタの端部２ａ，３ａは、後方（図１及び図３の左方）へ付勢されている。下側ガイドバー５は、上側ガイドバー４よりも長尺になっている。さらに、下側ガイドバー５は、先端が尖鋭になっている。
【００１８】
図１及び図４に示す通り、バッテリー１００は、前面（図１の右面、図４の左面）１００ａにバッテリー側充電用コネクタ１０２，１０３、上側ガイド孔１０４、下側ガイド孔１０５、端子用孔１０６が上下方向に設けられている。バッテリー側充電用コネクタ１０２，１０３は、上記したラック側充電用コネクタ２，３に適合して挿入されて、バッテリー前面１００ａに設けられた孔の内部で接続するようになっている。
【００１９】
また、上側ガイド孔１０４は、上側ガイドバー４に、下側ガイド孔１０５は、下側ガイドバー５に、端子用孔１０６は、温度検出端子６に、適合して挿入されるようになっている。なお、この実施形態では、バッテリー１００はニッケル水素バッテリーなので、温度検出端子６によって、バッテリー１００内部の温度を監視する。
【００２０】
図１に示すように、バッテリー充電用ラックは、各棚部１毎にロック部材７を備えている。ロック部材７は、引張りバネ７ｂの付勢力によって、Ｌ型レールの水平部８ｂ，８ｂより出没自在な掛止部７ｂを有する。ロック部材７は、常時では、引張りバネ７ｂによって、掛止部７ｂがＬ型レールの水平部８ｂ，８ｂより突出するようになっている。そして、ロック部材７は、レバー７ｃを押し下げることによって、掛止部７ｂをＬ型レールの水平部８ｂ，８ｂより没するように配置できる。
【００２１】
また、図１及び図４に示す通り、バッテリー１００は、底面に位置決め孔１０７を備えている。位置決め孔１０７は、ロック部材の掛止部７ｂに挿入可能になっている。従って、位置決め孔１０７にロック部材の掛止部７ｂを嵌合することによって、バッテリー１００をＬ型レール８，８上の所定位置に固定できるようになっている。
【００２２】
作業者は、先ず、ロック部材のレバー７ｃを押し下げて、バッテリー１００が掛止部７ａに引っ掛からないように、掛止部７ａをＬ型レール８，８よりも没した状態にし、バッテリー１００をＬ型レール８，８に沿って前方へスライドする。この時、ロック部材７は、引張りバネ７ｂの付勢力によって、掛止部７ａがバッテリー１００の底面を常時当接した状態となる。
【００２３】
そして、バッテリーの下側ガイド孔１０５に、ラックの下側ガイドバー５が挿入される。上記の通り、下側ガイドバー５は、ラック側充電用コネクタ２，３や上側ガイドバー４に対して、長尺で、最も下段に配置されており、先端が尖鋭になっているので、バッテリー１００が左右方向に位置ズレしていても、下側ガイド孔１０５に確実に挿入されて、バッテリー１００を所定位置に案内し易いようになっている。
【００２４】
そして、バッテリー側充電用コネクタ１０２，１０３は、ラック側充電用コネクタ２，３に、上側ガイド孔１０４は、上側ガイドバー４に、端子用孔１０６は、温度検出端子６に挿入される。上側ガイドバー４は、下側ガイドバー５を補助するように、バッテリー１００を案内する。作業者がバッテリー１００をスライドして、単に、バッテリー側充電用コネクタ１０２，１０３をラック側充電用コネクタ２，３に当接しても、バッテリーの前面１００ａはベース１３に当接されず（バッテリー前面１００ａとベース１３とに所定間隔が設けられる）、また、ロック部材７によって、バッテリー１００は位置固定されないようになっている。
【００２５】
作業者が、ラック側充電用コネクタに嵌装された圧縮バネ２０，３０の付勢力に抗して、バッテリー１００を、更に前方（図１の右方）へスライドすることによって、バッテリーの前面１００ａがベース１３に当接する。この状態で、ロック部材の掛止部７ａが、引張りバネ７ｂの付勢力によって、バッテリーの位置決め孔１０７に嵌合され、ロック部材７が、バッテリー１００の位置を固定するようになっている（図１の二点鎖線）。そして、バッテリー側充電用コネクタ１０２，１０３は、圧縮バネ２０，３０の付勢力によって、ラック側充電用コネクタの端部２ａ，３ａに対して、所定の圧力で互いに押圧し合った状態で接続される。
【００２６】
そして、バッテリー１００を充電した後、ロック部材のレバー７ｃを押し下げる。これにより、ロック部材の掛止部７ａがバッテリーの位置決め孔１０７から外れるので、バッテリー１００を後方（図１の左方）へスライドできる。そして、ロック部材７を解除した状態で、バッテリー１００をバッテリー充電用ラックの後方（図１の左方）から取外し、新しいバッテリーとして再利用される。
【００２７】
なお、バッテリー１００を前後方向へスライドする手段は、Ｌ型レール８，８に限らず、コの字状のレールや一対のＩ字状のレール等であってもよい。また、バッテリー１００を所定の位置に固定・解除する手段は、ロック部材７に限らず、公知技術のチャック手段等であってもよい。
【図面の簡単な説明】
【００２８】
【図１】バッテリー充電用ラックを示し、図２のＩ−Ｉ線断面側面図である。
【図２】図１のＩＩ−ＩＩ線断面正面図である。
【図３】バッテリー充電用ラックの一部を拡大して示す斜視図である。
【図４】バッテリーを示す斜視図である。
【符号の説明】
【００２９】
１  棚部
２，３  ラック側充電用コネクタ
２０，３０  圧縮バネ
４  上側ガイドバー
５  下側ガイドバー
７  ロック部材
８，８  Ｌ型レール
１００  バッテリー
１００ａ  バッテリー前面
１０２，１０３  バッテリー側充電用コネクタ
１０４  上側ガイド孔
１０５  下側ガイド孔
１０７  位置決め孔
【図１】
2008278625.tif 000003
【図２】
2008278625.tif 000004
【図３】
2008278625.tif 000005
【図４】
2008278625.tif 000006